(57)【特許請求の範囲】
【請求項１】
箱状に形成されて前面から光を出射させる筐体を有する光源ユニットと、
光制御部材を保持し前記筐体の前方に配置される保持部材と、
リング状に形成された固定ばねと、
前記光制御部材の前方に配置されるカバーと、を備え、
前記保持部材は、前記光制御部材を保持する保持部と、前記保持部における前記筐体との対向部位より後方に突出する支柱部とを有し、
前記筐体は、前記支柱部の先端部が前方から嵌め込まれる嵌合部を有し、
前記保持部材は、前記支柱部の先端部が前記嵌合部に嵌め込まれることにより、前後方向において前記筐体の前面との間に空間が形成されるように前記筐体に取り付けられ、
前記光制御部材は、前記保持部に保持された状態で、前後方向において前記固定ばねと前記カバーとで挟まれている
ことを特徴とする照明器具。
【請求項２】
箱状に形成されて前面から光を出射させる筐体を有する光源ユニットと、
光制御部材を保持し前記筐体の前方に配置される保持部材と、を備え、
前記保持部材は、前記光制御部材を保持する保持部と、前記保持部における前記筐体との対向部位より後方に突出する支柱部とを有し、
前記筐体は、前記支柱部の先端部が前方から嵌め込まれる嵌合部を有し、
前記保持部材は、前記支柱部の先端部が前記嵌合部に嵌め込まれることにより、前後方向において前記筐体の前面との間に空間が形成されるように前記筐体に取り付けられ、
前記保持部と前記支柱部とが弾性材料により一体に形成され、
前記保持部は、中央部分が開口する枠状であって、前記光制御部材の外縁が差し込まれて前後方向における両側から前記光制御部材を保持する保持溝を有しており、
前記光制御部材は、平面視の形状が円板状のレンズであり、
前記レンズは、前記レンズの外縁を前記保持溝に保持させることで前記保持部材に保持される
ことを特徴とする照明器具。
【請求項３】
前記保持部材は、前記筐体に取り付けられた状態において前記筐体の前面に接触する接触部をさらに有している
ことを特徴とする請求項１又は２に記載の照明器具。
【請求項４】
前記支柱部は、大径部と、前記大径部の先端より後方に突出しかつ前記大径部よりも径の小さい小径部とを有し、
前記大径部の先端面のうち前記小径部が形成されていない先端面により前記接触部が構成されている
ことを特徴とする請求項３に記載の照明器具。
【請求項５】
前記保持部材は、複数の前記支柱部を有し、
前記筐体は、前記複数の支柱部と同数である複数の前記嵌合部を有している
ことを特徴とする請求項１〜４の何れか１項に記載の照明器具。
【発明の詳細な説明】
【技術分野】
【０００１】
本発明は、照明器具に関し、より詳細には、光源から放射される光を照明空間に向けて照射する照明器具に関する。
【背景技術】
【０００２】
従来、屋外設置型のスポットライトが提供されている（例えば特許文献１参照）。特許文献１記載のスポットライト（照明器具）は、本体、光源、パネル、取付枠などを備える。
【０００３】
本体は、アルミダイカスト製であって、前面が開口した有底円筒形状に形成された第１筒部を有している。光源は、ＬＥＤユニットと、ＬＥＤユニットを保持するホルダとを有し、第１筒部の内底面に設けられた凹所にホルダが嵌め込まれることで第１筒部の内底面に固定される。パネルは、強化ガラスにより、第１筒部の外径より僅かに大きい直径寸法の円板状に形成され、第１筒部の前面開口を塞ぐように取付枠によって本体に取り付けられる。
【０００４】
取付枠は、枠部、ボス、周壁などがアルミダイカストによって一体に形成されている。枠部は、幅広の円環状に形成され、後面に３つのボスと周壁が設けられている。ボスは、前後方向に貫通するねじ挿通孔を有し、枠部の周方向に沿って等間隔に設けられている。周壁は、枠部の略全周に渡って後方に突出するように設けられており、周壁の内側にパネルが嵌め込まれる。
【０００５】
そして、取付枠は、周壁の内側にパネルを嵌め込んだ状態で、３つのボスの各ねじ挿通孔に挿通させた取付ねじを第１筒部の前面に設けられた雌ねじにねじ込むことで本体に取り付けられる。
【先行技術文献】
【特許文献】
【０００６】
【特許文献１】特開２０１４−１７９２１２号公報
【発明の概要】
【発明が解決しようとする課題】
【０００７】
上述の特許文献１記載のスポットライトでは、パネルが嵌め込まれた取付枠を本体に取り付ける際に３つの取付ねじをねじ込む作業が必要であり、その分作業時間が長くなることから作業効率の向上が望まれていた。
【０００８】
また、取付枠を本体に取り付けるためには３つの取付ねじが必要であり、その分部品点数が増加することから部品点数の削減も望まれていた。
【０００９】
本発明は上記問題点に鑑みてなされており、部品点数を削減しつつ作業効率を向上させた照明器具を提供することを目的とする。
【課題を解決するための手段】
【００１０】
本発明の照明器具は、箱状に形成されて前面から光を出射させる筐体を有する光源ユニットと、光制御部材を保持し前記筐体の前方に配置される保持部材と、リング状に形成された固定ばねと、前記光制御部材の前方に配置されるカバーと、を備え、前記保持部材は、前記光制御部材を保持する保持部と、前記保持部における前記筐体との対向部位より後方に突出する支柱部とを有し、前記筐体は、前記支柱部の先端部が前方から嵌め込まれる嵌合部を有し、前記保持部材は、前記支柱部の先端部が前記嵌合部に嵌め込まれることにより、前後方向において前記筐体の前面との間に空間が形成されるように前記筐体に取り付けられ、前記光制御部材は、前記保持部に保持された状態で、前後方向において前記固定ばねと前記カバーとで挟まれていることを特徴とする。
また、本発明の照明器具は、箱状に形成されて前面から光を出射させる筐体を有する光源ユニットと、光制御部材を保持し前記筐体の前方に配置される保持部材と、を備え、前記保持部材は、前記光制御部材を保持する保持部と、前記保持部における前記筐体との対向部位より後方に突出する支柱部とを有し、前記筐体は、前記支柱部の先端部が前方から嵌め込まれる嵌合部を有し、前記保持部材は、前記支柱部の先端部が前記嵌合部に嵌め込まれることにより、前後方向において前記筐体の前面との間に空間が形成されるように前記筐体に取り付けられ、前記保持部と前記支柱部とが弾性材料により一体に形成され、前記保持部は、中央部分が開口する枠状であって、前記光制御部材の外縁が差し込まれて前後方向における両側から前記光制御部材を保持する保持溝を有しており、前記光制御部材は、平面視の形状が円板状のレンズであり、前記レンズは、前記レンズの外縁を前記保持溝に保持させることで前記保持部材に保持されることを特徴とする。
【発明の効果】
【００１１】
本発明の照明器具は、部品点数を削減しつつ作業効率を向上させることができる。
【図面の簡単な説明】
【００１２】
【図１】本発明の実施形態に係る照明器具の分解斜視図である。
【図２】本発明の実施形態に係る照明器具の施工状態を示す正面図である。
【図３】本発明の実施形態に係る照明器具の斜視図である。
【図４】本発明の実施形態に係る照明器具の断面図である。
【図５】本発明の実施形態に係る光源ブロックの分解斜視図である。
【図６】本発明の実施形態に係る光源ブロックの一部省略した断面図である。
【図７】本発明の実施形態に係る光源ブロックの一部省略した正面図である。
【図８】本発明の実施形態に係る光学ユニットの一例を示す分解斜視図である。
【図９】本発明の実施形態に係る光学ユニットの一例を示す斜視図である。
【図１０】本発明の実施形態に係る光学ユニットの一例を示す断面図である。
【図１１】本発明の実施形態に係る光学ユニットの別の例を示す分解斜視図である。
【図１２】本発明の実施形態に係る光学ユニットの別の例を示す斜視図である。
【図１３】本発明の実施形態に係る光学ユニットの別の例を示す断面図である。
【発明を実施するための形態】
【００１３】
本発明の実施形態に係る照明器具について、図面を参照しながら具体的に説明する。ただし、以下に説明する構成は、本発明の一例に過ぎず、本発明は下記の実施形態に限定されない。したがって、この実施形態以外であっても、本発明に係る技術的思想を逸脱しない範囲であれば、設計等に応じて種々の変更が可能である。
【００１４】
なお、以下の説明では特に断りがない限り、図１に示す向きにおいて上下・左右・前後の各方向を規定するが、これらの方向は照明器具１００の使用形態を限定する趣旨ではない。
【００１５】
本実施形態の照明器具１００は、例えば図２に示すように、上面が床面２００と略面一になるようにして床下に設置される地中埋込型の照明器具である。この照明器具１００は、図１〜図４に示すように、光源ブロック８と、光源ブロック８が内部に収納される本体ブロック９とを備える。
【００１６】
本体ブロック９は、取付ベース９１と、ケース９２と、接続ボックス９３と、前面枠９４と、パネル９５と、パッキン９６，９７とを備える。
【００１７】
ケース９２は、例えばＳＵＳ４４３Ｊ１などのステンレス鋼板からなり、下面が開口する円錐台形状に形成された第１ケース９２１と、上面が開口する扁平な円筒状に形成された第２ケース９２２とが結合されてなる。これらの第１ケース９２１及び第２ケース９２２は、各々の内部空間が繋がっている（図４参照）。
【００１８】
第１ケース９２１の開口端縁には、外向きに突出する外鍔９２３が全周に渡って形成されており、この外鍔９２３には、取付ねじ２０１が挿通する複数の挿通孔９２３ａ（図４参照）が周方向に沿って等間隔に設けられている。また、第２ケース９２２の外周縁には、取付ねじ２０２がねじ込まれるねじ孔を有する４つのボス９２４が周方向に沿って等間隔に設けられている。
【００１９】
取付ベース９１は、例えばＳＵＳ３０４などのステンレス鋼板により矩形平板状に形成されており、第１ケース９２１の外鍔９２３の各挿通孔９２３ａに対応する部位には、取付ねじ２０１が挿通する挿通孔９１０が設けられている。この取付ベース９１は、第１ケース９２１の下面開口を塞ぎ、取付ねじ２０１により第１ケース９２１に固定される（図４参照）。
【００２０】
ここに、上下方向における取付ベース９１と第１ケース９２１との間には、例えば硬度５０度の黒色のシリコーンゴムにより円環状に形成されたパッキン９７（図４参照）が挟み込まれている。このパッキン９７は、取付ベース９１と第１ケース９２１との間から水や塵埃などが入り込まないように保護する。
【００２１】
接続ボックス９３は、例えばＳＵＳ３０４などのステンレス鋼板からなり、上面及び左側面が開口する矩形の箱形に形成されたボックス本体９３１と、上面開口を塞ぐようにしてボックス本体９３１に取り付けられる蓋体９３２とを有する。
【００２２】
ボックス本体９３１の前後両側壁には、２本の電源線及び１本のアース線を有する電源ケーブルを引き込むためのケーブル挿通孔９３１ａがそれぞれ設けられている（図１〜図３では前側のみ図示）。また、ボックス本体９３１の内部には、ケーブル挿通孔９３１ａを通して引き込まれた電源ケーブルを保持するケーブルクランプ９８が、各ケーブル挿通孔９３１ａと対向する位置に設けられている（図２及び図４参照）。
【００２３】
このボックス本体９３１は、左側の開口が第１ケース９２１側となる向きで、例えば溶接により第１ケース９２１の外周面に取り付けられる。そして、蓋体９３２は、第１ケース９２１に取り付けられたボックス本体９３１の上面開口を塞ぐようにしてボックス本体９３１に取り付けられる。
【００２４】
なお、接続ボックス９３に引き込まれた電源ケーブルは、第１ケース９２１の外周面に設けられた貫通孔を通して第１ケース９２１内に引き込まれる。そして、電源ケーブルを構成する２本の電源線が後述の端子台３２に電気的に接続され、かつ、１本のアース線が後述のアース端子３４に電気的に接続される。また、上記電源ケーブルは、接続ボックス９３の一方のケーブル挿通孔９３１ａから引き込まれ、他方のケーブル挿通孔９３１ａはゴムブッシュなどで塞がれる。
【００２５】
前面枠９４は、例えばＳＵＳ３０４などのステンレス鋼板により幅広の円環状に形成されており、取付ねじ２０２が挿通する複数（本実施形態では４つ）の挿通孔９４２が周方向に沿って等間隔に設けられている。この前面枠９４は、中央に設けられた円形の貫通孔９４１を通して後述のパネル９５の小径部９５１を露出させた状態で、上面開口を塞ぐようにして第２ケース９２２に取り付けられる。
【００２６】
パネル９５は、例えば透明な強化ガラスにより円板状に形成され、前面枠９４の貫通孔９４１と略同じ外径寸法の小径部９５１と、小径部９５１よりも外径寸法の大きい大径部９５２とを有する。このパネル９５は、小径部９５１が上側、大径部９５２が下側となる向きで第２ケース９２２内に組み込まれ、前面枠９４の貫通孔９４１を通して小径部９５１が上側に露出する（図３参照）。
【００２７】
パッキン９６は、例えば硬度５０度の黒色のシリコーンゴムからなり、Ｕ字状の差込溝９６１ａが内周面に形成されたリング状のパッキン本体９６１と、パッキン本体９６１の上端部において外向きに突出する外鍔９６２とを有する。外鍔９６２の外周縁には、第２ケース９２２のボス９２４を逃がすための４つの逃がし溝９６２ａが周方向に沿って等間隔に設けられている。
【００２８】
ここに、上述のパネル９５は、パッキン９６のパッキン本体９６１に設けられた差込溝９６１ａ内に大径部９５２が差し込まれ、パッキン９６に取り付けられる。そして、パッキン９６は、パネル９５とともに第２ケース９２２内に収納され、上から前面枠９４が取り付けられる（図４参照）。パッキン９６は、図４に示す状態において、前面枠９４の貫通孔９４１とパネル９５の小径部９５１との間から入り込んだ水や塵埃などが装置内部に入り込まないように保護する。
【００２９】
次に、光源ブロック８について、図５〜図１０を参照しながら具体的に説明する。光源ブロック８は、図５に示すように、光学ユニット１と、光源ユニット２と、端子台ユニット３と、放熱ユニット４と、回転板５と、アーム６と、固定金具７とを備える。
【００３０】
光源ユニット２は、図６に示すように、ベース２１と、筒体２２と、カバー２３と、反射板２４と、ＬＥＤモジュール２５と、ホルダ２６とを備える。
【００３１】
ベース２１は、例えばアルミニウムなどの放熱性のよい金属材料からなり、円板状に形成された底板２１０と、底板２１０の上面から上向きに突出する円形の突台部２１１とが一体に形成されている。
【００３２】
底板２１０の外周縁には、取付ねじ２０４がねじ込まれるねじ孔を有する３つのボス２１０ａが周方向に沿って等間隔に設けられている。また、底板２１０の外周縁において隣り合うボス２１０ａの間には、取付ねじ２０３が挿通する３つの挿通孔２１０ｂがそれぞれ設けられている。さらに、突台部２１１の上面には、ＬＥＤモジュール２５及びホルダ２６を収納するための矩形の凹部２１１ａが設けられている。
【００３３】
筒体２２は、例えば黒色の合成樹脂材料により、上下方向を軸方向とする円筒状に形成されている。筒体２２の外周面には、上下方向に沿って形成された３つの凹溝２２１が周方向に沿って等間隔に設けられている。また、筒体２２の外周面において隣り合う凹溝２２１の間には、上下方向に貫通する挿通孔２２２ａを有する３つのねじ挿通部２２２がそれぞれ設けられている。
【００３４】
カバー２３は、例えばアクリル樹脂などの透明な合成樹脂材料からなり、円板状に形成された前壁２３０と、前壁２３０の外周縁から下向きに突出する突壁２３１とが一体に形成されている。突壁２３１は、前壁２３０の全周に渡って形成されている。前壁２３０は、いわゆるフレネルレンズであり、ＬＥＤモジュール２５から放射された光を集光させる機能を有している。
【００３５】
前壁２３０の外周縁において筒体２２の各凹溝２２１に対応する部位には、突壁２３１に跨るようにして形成され、かつ、筒体２２に組み付けた状態で各凹溝２２１とそれぞれ連続する３つの嵌合溝２３１ａが設けられている。また、前壁２３０の外周縁において筒体２２の各ねじ挿通部２２２に対応する部位には、筒体２２に組み付けた状態で挿通孔２２２ａと連続する挿通孔を有する３つのボス２３１ｂが設けられている。
【００３６】
これらのベース２１、筒体２２及びカバー２３は、カバー２３のボス２３１ｂの挿通孔及び筒体２２のねじ挿通部２２２の挿通孔２２２ａに挿通させた取付ねじ２０４を、ベース２１のボス２１０ａのねじ孔にねじ込むことにより一体に組み付けられる。なお、ベース２１、筒体２２及びカバー２３を組み付けた状態では、カバー２３の嵌合溝２３１ａ、筒体２２の凹溝２２１及びベース２１の挿通孔２１０ｂが上下方向に連続するように配置される。
【００３７】
反射板２４は、例えばアルミニウムなどの金属材料からなり、上下方向における両端が開口する回転放物面形状に形成されている。この反射板２４は、ＬＥＤモジュール２５側（下側）の端部の内径が最も小さく、ＬＥＤモジュール２５から離れるにつれて（上側に行くほど）内径が徐々に大きくなるように形成されている。
【００３８】
ＬＥＤモジュール２５は、矩形平板状に形成された実装基板２５１と、実装基板２５１の上面に実装されるＬＥＤ（発光ダイオード）２５２とを有する。ＬＥＤ２５２は、例えば青色光を放射するＬＥＤチップをシリコーン樹脂などの透光性を有する封止材で封止し、封止材に混入された蛍光体により青色光の一部を黄色光に変換して青色光と混色させることで、白色光を放射する。
【００３９】
ホルダ２６は、例えば合成樹脂材料により矩形平板状に形成され、ホルダ２６の下面側には、実装基板２５１を収納するための矩形の凹部２６１が設けられている。また、ホルダ２６の上面側には、上下方向において凹部２６１と連続する円形の開口部２６２が設けられている。そして、実装基板２５１を凹部２６１に収納した状態では、ＬＥＤ２５２が開口部２６２を通して上側に露出した状態になる（図６参照）。
【００４０】
このホルダ２６は、図６に示すように、上下方向においてベース２１の凹部２１１ａの底面との間で実装基板２５１を挟み込んだ状態で、取付ねじにより凹部２１１ａの底面に固定される。なお、上述した反射板２４は、内径の小さい開口側が下側（ＬＥＤモジュール２５側）、内径の大きい開口側が上側（カバー２３側）となる向きで、ベース２１、筒体２２及びカバー２３で形成される空間内に収納される。ここに、本実施形態では、ベース２１、筒体２２及びカバー２３により筐体が構成される。
【００４１】
ところで、本実施形態では、２本の電源線により交流電力が供給されるため、交流電力を直流電力に変換してＬＥＤモジュール２５に供給する電源回路を筐体内に内蔵させるのが好ましい。なお、電源回路については筐体の外側にあってもよいし、電源ケーブルにより直流電力を供給する場合には電源回路がなくてもよい。
【００４２】
端子台ユニット３は、取付板３１と、端子台３２と、一対のローレットねじ３３と、アース端子３４と、ケーブルクランプ３５とを備える。
【００４３】
取付板３１は、例えばＡ１０５０などのアルミニウムからなり、円形の第１取付板３１０と矩形平板状の第２取付板３１１とが一体に形成されている。第１取付板３１０の外周縁には、光源ユニット２を取り付けるための取付ねじ２０３がねじ込まれる３つのねじ孔３１０ａが周方向に沿って等間隔に設けられている。また、第１取付板３１０の外周縁には、Ｌ字状に形成された一対の保持片３１２が一体に形成されており、これらの保持片３１２により一対のローレットねじ３３が第１取付板３１０に保持されている。
【００４４】
第２取付板３１１の上面には、外部より引き込まれた電源ケーブルの２本の電源線が電気的に接続される端子台３２が取り付けられている（図７参照）。また、第２取付板３１１の上面には、上記電源ケーブルの１本のアース線が電気的に接続されるアース端子３４も取り付けられている。さらに、第２取付板３１１の上面には、上記電源線及びアース線を保持するケーブルクランプ３５も取り付けられている。
【００４５】
この取付板３１は、放熱ユニット４の本体部４１の上面に設けられた２つのねじ孔４１１にローレットねじ３３をそれぞれねじ込むことにより放熱ユニット４に取り付けられ、放熱ユニット４との間が熱的に結合される。そして、ＬＥＤ２５２で発生した熱は、実装基板２５１、ベース２１及び取付板３１を介して放熱ユニット４に伝熱され、放熱ユニット４から外気へと放熱される。
【００４６】
放熱ユニット４は、例えばＡＤＣ１２からなるアルミダイカスト製品であって、本体部４１と、第１放熱部４２と、第２放熱部４３とが一体に形成されている。
【００４７】
本体部４１は、図５に示すように直方体状に形成され、取付ねじ２０３の先端がそれぞれ挿入される３つの挿入孔４１０が上面に設けられている。また、本体部４１の上面には、取付板３１に取り付けられたローレットねじ３３がねじ込まれる２つのねじ孔４１１も設けられている。
【００４８】
第１放熱部４２は、左右方向に長い矩形平板状に形成された複数の放熱フィン４２１を有している。これらの放熱フィン４２１は、本体部４１の左端から左向きに突出し、かつ、上から見た形状が扇形となるように配置されている。また、これらの放熱フィン４２１は、先端において隣接する放熱フィン４２１と連結されている。
【００４９】
第２放熱部４３は、第１放熱部４２と同様に、左右方向に長い矩形平板状に形成された複数の放熱フィン４３１を有している。これらの放熱フィン４３１は、本体部４１の右端から右向きに突出し、かつ、上から見た形状が扇形となるように配置されている。また、これらの放熱フィン４３１は、先端において隣接する放熱フィン４３１と連結されている。
【００５０】
回転板５は、例えばＳＰＣＥなどの冷間圧延鋼板からなり、円環状に形成された本体部５１と、本体部５１の下端から下向きに突出しかつ互いに対向するように配置された一対の取付部５２，５３とが一体に形成されている。また、本体部５１の下端には、水平方向に突出し、取付ねじ２０７が挿通する挿通孔を有する突出片が一体に形成されている。
【００５１】
一方の取付部５２には、取付ねじ２０５がねじ込まれる２つのねじ孔が上下方向に並べて設けられている。他方の取付部５３には、取付ねじ２０５がねじ込まれる１つのねじ孔と、取付部５３の一部を切り起こすことで形成した引掛爪５３１とが上下方向に並べて設けられている。
【００５２】
アーム６は、例えばＡ１０５０などのアルミニウムにより左右方向から見た形状がＵ字状に形成されており、矩形平板状の主片６１と、主片６１の前後方向における両端からそれぞれ上向きに突出する一対の立設片６２，６３とを有する。主片６１には、取付ねじ２０６が挿通される２つの挿通孔６１０が長手方向（前後方向）に並べて設けられている。なお、図５では、片方の挿通孔６１０のみが図示されている。
【００５３】
一方の立設片６２の下端寄りの位置には、取付ねじ２０６が挿通される挿通孔６２０が設けられている。また、立設片６２の上端部には、取付ねじ２０５が挿通される挿通孔６２１と、取付ねじ２０５が移動可能に挿通される円弧状の挿通部６２２とが上下方向に並べて設けられている。
【００５４】
他方の立設片６３の下端寄りの位置には、取付ねじ２０６が挿通される挿通孔６３０が設けられている。また、立設片６３の上端部には、取付ねじ２０５が挿通される挿通孔６３１と、引掛爪５３１が移動可能に挿通される円弧状の挿通部６３２とが上下方向に並べて設けられている。なお、回転板５とアーム６の結合方法については後述する。
【００５５】
固定金具７は、例えばＳＧＣＣなどの溶融亜鉛メッキ鋼板により前後方向から見た形状がＵ字状に形成されており、取付ねじ２０７がねじ込まれるねじ孔７１０が形成された第１水平片７１と、第１水平片７１と反対方向に突出する第２水平片７２とを有する。なお、固定金具７を回転板５に取り付ける方法については後述する。
【００５６】
以下、光学ユニット１について、図８〜図１０を参照しながら具体的に説明する。光学ユニット１は、図８に示すように、保持部材１１と、ルーバ１２と、固定ばね１３と、カバー１４とを備える。
【００５７】
保持部材１１は、例えば硬度５０度の黒色のシリコーンゴムからなり、保持部１１０と、複数（本実施形態では３つ）の支柱部１１１とが一体に形成されている。
【００５８】
保持部１１０は、幅の狭い円環状に形成された前片１１０ａと、前片１１０ａよりも幅の広い円環状に形成された後片１１０ｂと、上下方向に並べて配置された前片１１０ａ及び後片１１０ｂを連結する連結片１１０ｃとで構成される。この保持部１１０は、前片１１０ａ、後片１１０ｂ及び連結片１１０ｃで形成された保持溝１１２を有している。
【００５９】
各支柱部１１１は、保持部１１０の後片１１０ｂの下面から下向きに突出する半円柱形状の大径部１１１ａと、大径部１１１ａの先端（下端）から下向きに突出しかつ大径部１１１ａよりも径の小さい半円柱形状の小径部１１１ｂとで構成される。そして、これらの支柱部１１１は、後片１１０ｂの周方向に沿って等間隔に設けられている。
【００６０】
ルーバ１２は、例えば黒色のつや消し塗装が施されたアルミ箔によりハニカム構造に形成されており、光源ユニット２から照射された光によるグレア（まぶしさ）を防止する機能を有している。ここに、本実施形態では、ルーバ１２により光制御部材が構成される。
【００６１】
固定ばね１３は、例えばＳＵＳ３０４−ＷＰＢなどのばね用ステンレス鋼線によりリング状に形成されており、先端部を折り曲げることで形成された一対の把持部１３１を有している。
【００６２】
固定ばね１３は、一対の把持部１３１と対向する部位に、固定ばね１３の一部を内向きに折り曲げることで形成された第１凸部１３２が設けられている。また、固定ばね１３は、一対の把持部１３１と第１凸部１３２との間に、固定ばね１３の一部を外向きに折り曲げることで形成された一対の第２凸部１３３が設けられている。
【００６３】
カバー１４は、例えばＳＰＣＥなどの冷間圧延鋼板からなり、上下方向を軸方向とする扁平な円筒形状の筒状部１４０と、筒状部１４０の上端から内向きに突出する内鍔１４１と、筒状部１４０の下端から外向きに突出する外鍔１４２とが一体に形成されている。筒状部１４０の外周面には、固定ばね１３の一対の第２凸部１３３がそれぞれ引っ掛けられる一対の引掛溝１４０ａが、筒状部１４０の中心軸に対して対称な位置に設けられている。
【００６４】
続けて、光学ユニット１の組立手順について説明する。まず最初に、作業者は、ルーバ１２を下からカバー１４内に収納する。その後、作業者は、一対の把持部１３１が互いに近づくように固定ばね１３を撓めた状態で、固定ばね１３をカバー１４内に収納する。このとき、固定ばね１３の各第２凸部１３３がカバー１４の対応する引掛溝１４０ａに引っ掛けられ、固定ばね１３がカバー１４に取り付けられる。
【００６５】
最後に、作業者は、一体に組み付けられたルーバ１２、固定ばね１３及びカバー１４を保持部材１１の保持溝１１２内に収納する。以上の手順により、光学ユニット１が組み立てられる（図９及び図１０参照）。
【００６６】
このとき、カバー１４の外鍔１４２が保持部材１１の保持部１１０の後片１１０ｂに上から接触し、かつ、固定ばね１３の各第２凸部１３３が保持部１１０の前片１１０ａに下から接触する（図１０参照）。またこのとき、固定ばね１３の一対の把持部１３１及び第１凸部１３２が下からルーバ１２に接触し、カバー１４の内鍔１４１との間でルーバ１２を保持する（図１０参照）。なお、図１０は光学ユニット１の断面図であり、第１凸部１３２とルーバ１２との接触部分のみを図示している。
【００６７】
ところで、上述の従来のスポットライトでは、パネルが嵌め込まれた取付枠を本体に取り付ける際に３つの取付ねじをねじ込む作業が必要であり、その分作業時間が長くなることから作業効率の向上が望まれていた。また、従来のスポットライトでは、取付枠を本体に取り付けるためには３つの取付ねじが必要であり、その分部品点数が増加することから部品点数の削減も望まれていた。
【００６８】
本実施形態の照明器具１００では、図６及び図７に示すように、ルーバ１２を保持する保持部材１１の３つの支柱部１１１の小径部１１１ｂを、カバー２３の３つの嵌合溝２３１ａにそれぞれ嵌合させるだけで、保持部材１１をカバー２３に取り付けることができる。したがって、従来のスポットライトのように取付ねじをねじ込む作業が不要であることから、作業時間が短くなり、作業効率を向上させることができる。また、従来のスポットライトに比べて、少なくとも取付ねじの分だけ部品点数を削減することができる。
【００６９】
さらに、保持部材１１をカバー２３に取り付けた状態では、図６及び図７に示すように、上下方向において保持部１１０の下面とカバー２３の上面（前面）との間に空間Ｓ１が形成される。このように空間Ｓ１を設けることで、筐体（ベース２１、筒体２２及びカバー２３）内に収納されたＬＥＤモジュール２５の発熱により筐体内の温度が高くなった場合でも、筐体内部と空間Ｓ１との間で空気の対流を生じさせることができる。その結果、筐体内の温度上昇を緩和させることができる。
【００７０】
また、本実施形態では、保持部１１０と支柱部１１１とを硬度５０度のシリコーンゴム（弾性材料）により一体に形成している。そのため、支柱部１１１を構成する小径部１１１ｂを嵌合溝２３１ａよりも大きく形成することにより、小径部１１１ｂを嵌合溝２３１ａに圧入することができる。これにより、保持部材１１を筐体（カバー２３）に強固に取り付けることができる。
【００７１】
ここに、本実施形態では、支柱部１１１の小径部１１１ｂが嵌まり込む嵌合溝２３１ａにより嵌合部が構成される。また、本実施形態では、小径部１１１ｂを嵌合溝２３１ａに嵌合させた際にカバー２３の上面（前面）に接触する大径部１１１ａの先端面、言い換えれば大径部１１１ａの先端面のうち小径部１１１ｂが形成されていない先端面により接触部が構成される。
【００７２】
次に、照明器具１００の組立手順について説明する。なお、以下の説明では、光学ユニット１、光源ユニット２及び端子台ユニット３が予め組み立てられているものとする。また、以下の説明では、上述の電源回路と端子台３２とがリード線などにより予め電気的に接続されているものとする。
【００７３】
まず最初に、作業者は、アーム６を放熱ユニット４に取り付ける。このとき、作業者は、アーム６の主片６１及び各立設片６２，６３に設けた挿通孔６１０，６２０，６３０にそれぞれ挿通させた取付ねじ２０６を、放熱ユニット４の本体部４１に設けたねじ孔４１２にそれぞれねじ込み、アーム６を放熱ユニット４に固定する。
【００７４】
次に、作業者は、一体に組み付けた放熱ユニット４及びアーム６を作業台に置き、上からケース９２を被せる。このとき、作業者は、第２ケース９２２の上面開口を通してアーム６の両立設片６２，６３の先端部（上端部）を露出させる。
【００７５】
続けて、作業者は、回転板５をアーム６に取り付ける。このとき、作業者は、回転板５の取付部５２がアーム６の立設片６２の外側、取付部５３が立設片６３の外側となるように位置を調整する。そして、作業者は、立設片６２の挿通孔６２１及び挿通部６２２に挿通させた取付ねじ２０５を取付部５２の各ねじ孔にねじ込む。また、作業者は、立設片６３の挿通孔６３１に挿通させた取付ねじ２０５を取付部５３のねじ孔にねじ込み、かつ、立設片６３の挿通部６３２に取付部５３の引掛爪５３１を挿通させる。
【００７６】
さらに、作業者は、固定金具７を回転板５に取り付け、回転板５の回転止めを行う。このとき、作業者は、第１ケース９２１の内側から固定金具７の第２水平片７２を第２ケース９２２の下面に接触させた後、回転板５の上記突出片に設けた挿通孔に挿通させた取付ねじ２０７を固定金具７の第１水平片７１のねじ孔７１０にねじ込む。
【００７７】
これにより、回転板５の本体部５１と固定金具７の第２水平片７２との間に第２ケース９２２が挟み込まれ、回転板５の中心軸周りに回転板５が回転するのを規制することができる。
【００７８】
次に、作業者は、接続ボックス９３を介して第１ケース９２１内に引き込まれた電源ケーブルの２本の電源線を端子台３２に電気的に接続し、かつ、上記電源ケーブルの１本のアース線をアース端子３４に電気的に接続する。その後、作業者は、２本の電源線及び１本のアース線をケーブルクランプ３５に保持させる。
【００７９】
さらに、作業者は、一体に組み付けた光学ユニット１、光源ユニット２及び端子台ユニット３を斜めに傾けた状態で、第２ケース９２２の上面開口を通して第１ケース９２１内に収容し、一対のローレットねじ３３により放熱ユニット４に固定する。その後、作業者は、光学ユニット１と回転板５との間に遮光パッキン１０を差し込む。
【００８０】
この遮光パッキン１０は、例えば硬度６０度の黒色のシリコーンゴムからなり、上下方向を軸方向とする円筒形状の筒状部１０１と、筒状部１０１の上端から外向きに突出する外鍔１０２とが一体に形成されている（図１参照）。筒状部１０１の外周面には、逆Ｕ字状に開口する一対の逃がし溝１０１ａが筒状部１０１の中心軸に対して対称な位置に設けられている。そして、この遮光パッキン１０を組み付けた状態では、回転板５とアーム６とを連結するねじ２０５のねじ頭が各逃がし溝１０１ａ内に挿通される。
【００８１】
その後、作業者は、パネル９５が取り付けられたパッキン９６を第２ケース９２２内に収納し、前面枠９４を上から取り付ける。このとき、作業者は、前面枠９４の各挿通孔９４２に挿通させた取付ねじ２０２を第２ケース９２２の対応するボス９２４のねじ孔にねじ込んで前面枠９４を第２ケース９２２に固定する。
【００８２】
そして最後に、作業者は、取付ベース９１の各挿通孔９１０及び第１ケース９２１の外鍔９２３の対応する挿通孔９２３ａにそれぞれ挿通させた取付ねじ２０１により固定する。以上の手順により、照明器具１００が組み立てられる。
【００８３】
なお、本実施形態の照明器具１００では、前面枠９４、パネル９５、パッキン９６及び遮光パッキン１０を取り外した状態で、上側に位置する２つの取付ねじ２０５を緩めることにより光源ユニット２の配光角度を調整することができる。
【００８４】
つまり、上記２つの取付ねじ２０５を緩めた状態では、下側に位置する１つの取付ねじ２０５が挿通部６２２に沿って移動可能であり、かつ引掛爪５３１が挿通部６３２に沿って移動可能である。そのため、取付ねじ２０５及び引掛爪５３１の移動量に応じた配光角度に設定することができる。なお、配光角度を変更した後は、上記２つの取付ねじ２０５をねじ込むことにより、設定した配光角度を保持することができる。
【００８５】
ところで、本実施形態では、ルーバ１２が光制御部材である場合を例に説明したが、光制御部材はルーバ１２に限らず、別の構成であってもよい。以下、レンズ１５が光制御部材である場合について、図１１〜図１３を参照しながら具体的に説明する。
【００８６】
光学ユニット１は、図１１〜図１３に示すように、保持部材１１と、保持部材１１に保持されるレンズ１５とを備える。なお、保持部材１１については、図８〜図１０に示した保持部材１１と同様であり、ここでは詳細な説明を省略する。
【００８７】
レンズ１５は、例えば透明なガラスにより円板状に形成され、上面において複数の凸部１５０及び凹部１５１が交互に形成された、いわゆるスプレッドタイプやディフューズタイプのレンズである。レンズ１５は、厚み寸法（上下寸法）が保持部材１１の保持溝１１２の上下寸法よりもわずかに大きく形成されている。
【００８８】
したがって、レンズ１５を保持溝１１２内に差し込んだ状態では、レンズ１５の外周縁が保持部１１０の前片１１０ａ及び後片１１０ｂにより上下方向における両側から保持される（図１３参照）。そして、このレンズ１５によれば、光源ユニット２から照射された光をレンズ１５によって屈折させて、楕円形状の配光を実現することができる。
【００８９】
そして、レンズ１５を用いた光学ユニット１の場合でも、保持部材１１の支柱部１１１の小径部１１１ｂをカバー２３の嵌合溝２３１ａに嵌め込むだけで、保持部材１１をカバー２３（筐体）に取り付けることができる。その結果、上述の従来のスポットライトに比べて作業効率を向上させることができ、かつ部品点数を削減することができる。
【００９０】
なお、本実施形態では、地中埋込型の照明器具を例に説明したが、例えばダウンライトのような補助的な照明器具や、スポットライトのような一部分を集中的に照らす照明器具であってもよく、本実施形態に限定されない。また、本実施形態では、大径部１１１ａの先端面を接触部としたが、例えば保持部１１０における筐体との対向部位より下向き（後方）に突出し、保持部材１１を筐体に取り付けた状態で筐体の上面（前面）に接触する接触部を支柱部１１１と別に設けてもよい。
【００９１】
さらに、本実施形態では、支柱部１１１が３つの場合を例に説明したが、筐体に対して保持部材１１を取り付けられるようになっていれば、１つ又は２つでもよいし、４つ以上であってもよい。また、本実施形態では、ハニカム構造のルーバ１２やレンズ１５（スプレットレンズ、ディフューズレンズなど）を光制御部材としたが、例えば光色のみを変えるカラーフィルタなどを光制御部材としてもよい。
【００９２】
また、本実施形態では、ベース２１、筒体２２及びカバー２３の３部品により筐体を構成したが、反射板２４、ＬＥＤモジュール２５及びホルダ２６を収容できるようになっていれば、２部品で筐体を構成してもよいし、４部品以上で筐体を構成してもよい。
【００９３】
以上説明したように、本実施形態の照明器具１００は、光源ユニット２と、保持部材１１とを備える。光源ユニット２は、箱状に形成されて前面から光を出射させる筐体（ベース２１、筒体２２及びカバー２３）を有する。保持部材１１は、光制御部材（ルーバ１２、レンズ１５）を保持し、筐体の前方に配置される。保持部材１１は、光制御部材を保持する保持部１１０と、保持部１１０における筐体との対向部位より後方に突出する支柱部１１１とを有する。筐体は、支柱部１１１の先端部（小径部１１１ｂ）が前方から嵌め込まれる嵌合部（嵌合溝２３１ａ）を有する。保持部材１１は、支柱部１１１の先端部が嵌合部に嵌め込まれることにより、前後方向において筐体の前面との間に空間Ｓ１が形成されるように筐体に取り付けられる。ここに、図１の上下方向が照明器具１００の前後方向となる。
【００９４】
上記構成によれば、支柱部１１１の先端部を嵌合部に嵌め込むだけで保持部材１１を筐体に取り付けることができるので、ねじを用いる場合に比べて作業効率を向上させることができる。また、ねじを用いる場合に比べて、少なくともねじの分だけ部品点数を削減することができる。さらに、筐体内に収納された光源の発熱により筐体内の温度が高くなった場合でも、筐体内部と空間Ｓ１との間で空気の対流を生じさせることができ、これにより筐体内の温度上昇を緩和させることができる。
【００９５】
また、本実施形態の照明器具１００のように、保持部材１１は、筐体に取り付けられた状態において筐体の前面に接触する接触部（大径部１１１ａの先端面）をさらに有しているのが好ましい。
【００９６】
上記構成によれば、接触部を筐体の前面に接触させることにより筐体に対して保持部材１１が前後方向に位置決めされ、その結果、支柱部１１１の長さに応じた空間Ｓ１を確保することができる。
【００９７】
また、本実施形態の照明器具１００のように、支柱部１１１は、大径部１１１ａと、大径部１１１ａの先端より後方に突出しかつ大径部１１１ａよりも径の小さい小径部１１１ｂとを有しているのが好ましい。この場合、大径部１１１ａの先端面のうち小径部１１１ｂが形成されていない先端面により接触部が構成される。
【００９８】
上記構成によれば、大径部１１１ａの先端面のうち小径部１１１ｂが形成されていない先端面を筐体の前面に接触させることにより筐体に対して保持部材１１が前後方向に位置決めされ、その結果、大径部１１１ａの長さに応じた空間Ｓ１を確保することができる。
【００９９】
また、本実施形態の照明器具１００のように、保持部１１０と支柱部１１１とが弾性材料により一体に形成されているのが好ましい。この場合、保持部１１０は、中央部分が開口する枠状であって、光制御部材の外縁が差し込まれて前後方向における両側から光制御部材を保持する保持溝１１２を有しているのが好ましい。
【０１００】
上記構成によれば、弾性材料により保持部材１１を形成しているので、嵌合部（嵌合溝２３１ａ）に対して支柱部１１１の先端部を圧入することができ、筐体に対して保持部材１１を強固に取り付けることができる。
【０１０１】
また、本実施形態の照明器具１００のように、保持部材１１は、複数の支柱部１１１を有し、筐体は、複数の支柱部１１１と同数である複数の嵌合部（嵌合溝２３１ａ）を有しているのが好ましい。
【０１０２】
上記構成によれば、支柱部１１１と嵌合部（嵌合溝２３１ａ）とが１つずつである場合に比べて、筐体に対して保持部材１１を強固に取り付けることができ、しかも筐体に対して保持部材１１をバランスよく取り付けることができる。
【符号の説明】
【０１０３】
２  光源ユニット
１１  保持部材
１２  ルーバ（光制御部材）
１５  レンズ（光制御部材）
２１  ベース（筐体）
２２  筒体（筐体）
２３  カバー（筐体）
１００  照明器具
１１０  保持部
１１１  支柱部
１１１ａ  大径部（接触部）
１１１ｂ  小径部
１１２  保持溝
２３１ａ  嵌合溝（嵌合部）
Ｓ１  空間
【図１】
0006558689.tif 000002
【図２】
0006558689.tif 000003
【図３】
0006558689.tif 000004
【図４】
0006558689.tif 000005
【図５】
0006558689.tif 000006
【図６】
0006558689.tif 000007
【図７】
0006558689.tif 000008
【図８】
0006558689.tif 000009
【図９】
0006558689.tif 000010
【図１０】
0006558689.tif 000011
【図１１】
0006558689.tif 000012
【図１２】
0006558689.tif 000013
【図１３】
0006558689.tif 000014